(57)【要約】【課題】  簡単な構造で容易且つ安価に製造することができる照明及び表示可能な光学装置を提供する。【解決手段】  光学装置１は、コヒーレントな光を照射する発光部２と、少なくとも、予め定めた所定の情報が記録された第１ホログラム領域４１及び第１ホログラム領域４１とは異なる情報が記録された第２ホログラム領域４２を有するホログラム４と、発光部２から照射された光が第１ホログラム領域４１及び第２ホログラム領域４２のうち少なくとも１つを含むように移動する領域選択部３と、を備えることを特徴とする。【選択図】図１
2016090901.tif 000002
【特許請求の範囲】
【請求項１】
コヒーレントな光を照射する発光部と、
少なくとも、予め定めた所定の情報が記録された第１ホログラム領域及び前記第１ホログラム領域とは異なる情報が記録された第２ホログラム領域を有するホログラムと、
前記発光部から照射された光が前記第１ホログラム領域及び前記第２ホログラム領域のうち少なくとも１つを含むように移動する領域選択部と、
を備える
ことを特徴とする光学装置。
【請求項２】
前記領域選択部は、１次元的に移動する
ことを特徴とする請求項１に記載の光学装置。
【請求項３】
前記発光部は、赤色、緑色、青色に対応した光源を有し、
前記ホログラムは、前記赤色、緑色、青色に対応した光源に対して、それぞれ情報が記録された赤色、緑色、青色に対応する領域を有する
ことを特徴とする請求項１又は２に記載の光学装置。
【請求項４】
前記発光部は、複数のレーザー光源を有するレーザーアレイからなり、
前記レーザーアレイの照射領域は、前記第１ホログラム領域及び前記第２ホログラム領域よりも小さい
ことを特徴とする請求項１乃至３のいずれか１つに記載の光学装置。
【請求項５】
前記領域選択部の移動を指示する入力部と、
前記領域選択部を移動させる駆動部と、
前記入力部からの指示に応じて前記駆動部を制御する制御部と、
を備える
ことを特徴とする請求項１乃至４のいずれか１つに記載の光学装置。
【請求項６】
前記入力部の指示に応じた前記領域選択部の移動位置を記憶する記憶部を備える
ことを特徴とする請求項１乃至５のいずれか１つに記載の光学装置。
【請求項７】
前記ホログラムを通過した光は、照明光を投影する
ことを特徴とする請求項１乃至６のいずれか１つに記載の光学装置。
【請求項８】
前記ホログラムを通過した光は、画像及び文字のうち少なくとも１つを投影する
ことを特徴とする請求項１乃至７のいずれか１つに記載の光学装置。
【発明の詳細な説明】
【技術分野】
【０００１】
本発明は、ホログラム再生光を利用して照明及び表示可能な光学装置に関するものである。
【背景技術】
【０００２】
室内において白熱灯やＬＥＤ光源の電力システムを各種センサに連動させ、人が通らない時は電源が切れたり、外光を感知して光量を調節したりする調光システムがある。
【０００３】
近年、レーザー光源、特に可視光レーザーは、直進性、長寿命、高い色純度、高発光効率等の利点を有し、ディスプレイ・照明・光センシングなどへ展開する次世代光源として期待されている。レーザー光源を照明分野へ応用することにより、高い光利用効率を以って、照明領域を機能的に制御することが可能となる。
【０００４】
一方で、ホログラムは設計波長に対して高効率に光を回折でき、ＬＥＤ及びレーザー等と相性のよいデバイスである。また、ホログラムには予め記録された画像や文字の表示のみならず、各種光学素子を予め記録させることによってビーム整形や均一化機能を付与することが可能であり、レーザー、可変制御装置と組み合わせて多様な照明システムの構築が可能となる。特に、電源のＯＮ／ＯＦＦ又は光量調整のみならず、照射領域の変化や色の変化、画像や文字の表示が可能になることが大きな進歩である。
【０００５】
レーザーとホログラムを使用して複数の照明領域に可変照明させる装置としては以下の先行文献のように、走査装置を用いて選択的に、領域分割されたホログラムを照射する方式がある。これは照射領域が可変なだけでなく、スペックルも低減できる。
【先行技術文献】
【特許文献】
【０００６】
【特許文献１】特開２０１２−２３０３１０号公報
【発明の概要】
【発明が解決しようとする課題】
【０００７】
しかしながら、通常、光走査装置に使用されるＭＥＭＳ(Ｍｉｃｒｏ  Ｅｌｅｃｔｒｏ
Ｍｅｃｈａｎｉｃａｌ  Ｓｙｓｔｅｍ)スキャナやポリゴンスキャナは高価であり、光
学系の配置が複雑になる場合がある。さらに、光源の出力をある程度確保する必要があるため、放熱対策等を十分に考慮しなければならないことも予想される。
【０００８】
本発明は、走査装置を使用せずに、簡単な構造で容易且つ安価に製造することができる照明及び表示可能な光学装置を提供する。
【課題を解決するための手段】
【０００９】
上記目的を達成する本発明にかかる光学装置は、
コヒーレントな光を照射する発光部と、
少なくとも、予め定めた所定の情報が記録された第１ホログラム領域及び前記第１ホログラム領域とは異なる情報が記録された第２ホログラム領域を有するホログラムと、
前記発光部から照射された光が前記第１ホログラム領域及び前記第２ホログラム領域のうち少なくとも１つを含むように移動する領域選択部と、
を備える
ことを特徴とする。
【００１０】
また、本発明にかかる光学装置では、
前記領域選択部は、１次元的に移動する
ことを特徴とする。
【００１１】
また、本発明にかかる光学装置では、
前記発光部は、赤色、緑色、青色に対応した光源を有し、
前記ホログラムは、前記赤色、緑色、青色に対応した光源に対して、それぞれ情報が記録された赤色、緑色、青色に対応する領域を有する
ことを特徴とする。
【００１２】
また、本発明にかかる光学装置では、
前記発光部は、複数のレーザー光源を有するレーザーアレイからなり、
前記レーザーアレイの照射領域は、前記第１ホログラム領域及び前記第２ホログラム領域よりも小さい
ことを特徴とする。
【００１３】
また、本発明にかかる光学装置では、
前記領域選択部の移動を指示する入力部と、
前記領域選択部を移動させる駆動部と、
前記入力部からの指示に応じて前記駆動部を制御する制御部と、
を備える
ことを特徴とする。
【００１４】
また、本発明にかかる光学装置では、
前記入力部の指示に応じた前記領域選択部の移動位置を記憶する記憶部を備える
ことを特徴とする。
【００１５】
また、本発明にかかる光学装置では、
前記ホログラムを通過した光は、照明光を投影する
ことを特徴とする。
【００１６】
また、本発明にかかる光学装置では、
前記ホログラムを通過した光は、画像及び文字のうち少なくとも１つを投影する
ことを特徴とする。
【発明の効果】
【００１７】
本発明によれば、簡単な構造で容易且つ安価に製造できることができる照明及び表示可能な光学装置を提供することが可能となる。
【図面の簡単な説明】
【００１８】
【図１】第１実施形態の光学装置の側面図である。
【図２】第１実施形態の光学装置のホログラムの正面図である。
【図３】第２実施形態の光学装置の平面図である。
【図４】第２実施形態の光学装置のホログラムの正面図である。
【図５】第３実施形態の光学装置の斜視図である。
【図６】第３実施形態の光学装置のホログラムの正面図である。
【図７】第４実施形態の光学装置の斜視図である。
【図８】第５実施形態の光学装置の斜視図である。
【発明を実施するための形態】
【００１９】
以下、図面を参照にして本発明にかかる光学装置について説明する。
【００２０】
図１は、第１実施形態の光学装置の側面図である。図２は、第１実施形態の光学装置のホログラムの正面図である。
【００２１】
第１実施形態の光学装置１は、発光部２と、領域選択部としてのミラー部３と、ホログラム４と、入力部５と、制御部６と、記憶部７と、駆動部８と、を備える。
【００２２】
発光部２は、指向性を有し増幅された所定の波長を持つコヒーレントなレーザー光を照射する。発光部２は、複数の素子を束ねたレーザーアレイでよい。また、発光部２は、複数の波長のレーザー光を照射できるものでもよい。
【００２３】
ミラー部３は、位置を移動することによって発光部２の照射する光がホログラム４に入射する領域を変更する。第１実施形態のミラー部３は、底面が平面に形成され、図示しない平面上を移動することで、発光部２の照射する光を斜面で反射させ、ホログラム４の異なる領域に入射する構造である。なお、本実施形態では、領域選択部として発光部２の照射する光を反射させるミラー部３を用いたが、プリズム等で屈折させる構造でもよい。
【００２４】
ホログラム４は、少なくとも、第１ホログラム領域４１と、第２ホログラム領域４２と、を含むホログラム４０を有する。第１ホログラム領域４１と第２ホログラム領域４２は、異なる情報が記録されており、発光部２からレーザー光が入射した場合に、異なる情報を含む光を出射させる。例えば、第１ホログラム領域４１と第２ホログラム領域４２の出射光は、それぞれ異なる照明範囲、表示画像、又は文字等を投影する。
【００２５】
入力部５は、操作者が操作するスイッチ又は各種センサ等であって、検出信号を制御部６に入力する。例えば、本実施形態の光学装置を自動車等の移動体に適用した場合、入力部５は、車両用のヘッドライト切替スイッチ又は障害物を検出する障害物センサ等からなる。
【００２６】
記憶部６は、入力部５の入力内容に対応するホログラム４の領域を記憶している。例えば、本実施形態の光学装置を自動車等の移動体に適用した場合、記憶部６は、ヘッドライト切替スイッチからハイビームにする指示が入力された場合、ホログラム４の第１ホログラム領域４１にすること等を記憶している。なお、記憶部６は、制御部７に含まれていてもよい。
【００２７】
制御部７は、入力部５及び記憶部６からの指示にしたがって、駆動部８を駆動する。駆動部８は、ホログラム４のホログラム枠部４ａを支持部３の支持レール３１に沿って移動させるアクチュエータ等からなる。例えば、駆動部８は、モータとボールねじ又は電磁ソレノイド等からなる。
【００２８】
次に、第１実施形態の光学装置１の作動について説明する。
【００２９】
照射光１０が第１光領域１１に照射されている第１状態から照射光１０が第２光領域１２に照射されている第２状態に移動するには、まず入力部５から切替の信号が制御部７に入力される。制御部７は、入力部５の入力内容に対応するホログラム４の領域を記憶部６から取得する。その後、制御部７は、記憶部６から取得したホログラム４の領域が発光部２から照射されるように駆動部８を駆動し、ミラー部３を移動する。
【００３０】
例えば、本実施形態の光学装置を自動車等の移動体に適用した場合、制御前の状態とし
て入力部５のヘッドライト切替スイッチがハイビームを指示している状態から、ロービームに変更する指示が制御部７に入力されると、制御部７は、ロービームに対応する領域が第２ホログラム領域４２であるという記憶部６に記憶された信号を取得する。そして、制御部７は、ホログラム４の第２ホログラム領域４２が発光部２から照射されるように駆動部８を駆動し、ミラー部３を移動する。
【００３１】
なお、ホログラム４は、第１ホログラム領域４１と第２ホログラム領域４２が重なっていてもよい。第１ホログラム領域４１と第２ホログラム領域４２が重なっている部分に発光部２から照射された場合、入射した光は第１ホログラム領域４１と第２ホログラム領域４２からそれぞれ出射する。
【００３２】
また、発光部２から照射される光が第１ホログラム領域４１と第２ホログラム領域４２に跨がってもよい。発光部２から照射される光が第１ホログラム領域４１と第２ホログラム領域４２に跨がっている場合、入射した光は第１ホログラム領域４１と第２ホログラム領域４２からそれぞれ出射する。
【００３３】
このように、第１実施形態の光学装置１によれば、簡単な構造で容易且つ安価に製造することができる投影可能な光学装置１を提供することが可能となる。
【００３４】
次に、第２実施形態の光学装置について説明する。
【００３５】
図３は、第２実施形態の光学装置の平面図である。図４は、第２実施形態の光学装置のホログラムの正面図である。
【００３６】
第２実施形態の光学装置１は、発光部２と、領域選択部としてのミラー部３と、ホログラム４と、入力部５と、制御部６と、記憶部７と、駆動部８と、を備える。
【００３７】
発光部２は、指向性を有し増幅された所定の波長を持つコヒーレントなレーザー光を照射する。発光部２は、複数の素子を束ねたレーザーアレイでよい。発光部２は、複数の波長のレーザー光を照射できるものでもよい。第２実施形態の発光部２は、赤色（Ｒ）、緑色（Ｇ）、青色（Ｂ）のカラーに対応した少なくとも３つの光源２Ｒ，２Ｇ，２Ｂを有する。
【００３８】
ミラー部３は、位置を移動することによって発光部２の照射する光がホログラム４に入射する領域を変更する。第２実施形態のミラー部３は、側面が平面に形成され、図示しない平面上を移動することで、発光部２の照射する光を斜面で反射させ、ホログラム４の異なる領域に入射する構造である。なお、本実施形態では、領域選択部として発光部２の照射する光を反射させるミラー部３を用いたが、プリズム等で屈折させる構造でもよい。
【００３９】
ホログラム４は、少なくとも、第１ホログラム領域４１と、第２ホログラム領域４２と、を有する。第１ホログラム領域４１と第２ホログラム領域４２は、異なる情報が記録されており、発光部２からレーザー光が入射した場合に、異なる情報を含む光を出射させる。例えば、第１ホログラム領域４１と第２ホログラム領域４２の出射光は、それぞれ異なる照明範囲、表示画像、又は文字等を投影する。第２実施形態のホログラム４は、図４に示すように、赤色Ｒ、緑色Ｇ、青色Ｂの３つの光源２Ｒ，２Ｇ，２Ｂに対応する第１ホログラム領域４１Ｒ，４１Ｇ，４１Ｂと第２ホログラム領域４２Ｒ，４２Ｇ，４２Ｂが横方向に交互に並んでいる。
【００４０】
入力部５は、操作者が操作するスイッチ又は各種センサ等であって、検出信号を制御部６に入力する。例えば、本実施形態の光学装置を自動車等の移動体に適用した場合、入力
部５は、ヘッドライト切替スイッチ又は障害物を検出する障害物センサ等からなる。
【００４１】
記憶部６は、入力部５の入力内容に対応するホログラム４の領域を記憶している。例えば、本実施形態の光学装置を自動車等の移動体に適用した場合、記憶部６は、ヘッドライト切替スイッチからハイビームにする指示が入力された場合、ホログラム４の第１ホログラム領域４１にすること等を記憶している。なお、記憶部６は、制御部７に含まれていてもよい。
【００４２】
制御部７は、入力部５及び記憶部６からの指示にしたがって、駆動部８を駆動する。駆動部８は、ホログラム４のホログラム枠部４ａを支持部３の支持レール３１に沿って移動させるアクチュエータ等からなる。例えば、駆動部８は、モータとボールねじ又は電磁ソレノイド等からなる。
【００４３】
次に、第２実施形態の光学装置１の作動について説明する。
【００４４】
照射光１０が第１光領域１１に照射されている第１状態から照射光１０が第２光領域１２に照射されている第２状態に移動するには、まず入力部５から切替の信号が制御部７に入力される。制御部７は、入力部５の入力内容に対応するホログラム４の領域を記憶部６から取得する。その後、制御部７は、記憶部６から取得したホログラム４の領域が発光部２から照射されるように駆動部８を駆動し、ミラー部３を移動する。
【００４５】
例えば、制御前の状態として入力部５の表示切替スイッチが第１光領域１１にカラー画像を投影するように指示している状態から、第２光領域１２にカラー画像を投影する指示が制御部７に入力されると、制御部７は、第２光領域１２にカラー画像を投影することに対応する領域が第２ホログラム領域４２であるという記憶部６に記憶された信号を取得する。そして、制御部７は、ホログラム４の第２ホログラム領域４２が発光部２から照射されるように駆動部８を駆動し、ミラー部３を移動する。第２実施形態では、赤色Ｒ、緑色Ｇ、青色Ｂそれぞれの光源２Ｒ，２Ｇ，２Ｂから照射される光がそれぞれ第１ホログラム領域４１Ｒ，４１Ｇ，４１Ｂに入射する状態から第２ホログラム領域４２Ｒ，４２Ｇ，４２Ｂに入射する状態になるように、ミラー部３を移動させる。
【００４６】
なお、ホログラム４は、第１ホログラム領域４１と第２ホログラム領域４２が重なっていてもよい。第１ホログラム領域４１と第２ホログラム領域４２が重なっている部分に発光部２から照射された場合、入射した光は第１ホログラム領域４１と第２ホログラム領域４２からそれぞれ出射する。
【００４７】
また、発光部２から照射される光が第１ホログラム領域４１と第２ホログラム領域４２に跨がってもよい。発光部２から照射される光が第１ホログラム領域４１と第２ホログラム領域４２に跨がっている場合、入射した光は第１ホログラム領域４１と第２ホログラム領域４２からそれぞれ出射する。
【００４８】
このように、第２実施形態の光学装置１によれば、簡単な構造で容易且つ安価に製造することができる投影可能なカラーの光学装置１を提供することが可能となる。
【００４９】
次に、第３実施形態の光学装置について説明する。
【００５０】
図５は、第３実施形態の光学装置の斜視図である。図６は、第３実施形態の光学装置のホログラムの正面図である。
【００５１】
第３実施形態の光学装置１は、発光部２と、領域選択部としてのミラー部３と、ホログ
ラム４と、入力部５と、制御部６と、記憶部７と、駆動部８と、を備える。
【００５２】
発光部２は、指向性を有し増幅された所定の波長を持つコヒーレントなレーザー光を照射する。発光部２は、複数の素子を束ねたレーザーアレイでよい。発光部２は、複数の波長のレーザー光を照射できるものでもよい。第３実施形態の発光部２は、ＲＧＢのカラーに対応した少なくとも３つの光源２Ｒ，２Ｇ，２Ｂを有する。
【００５３】
ミラー部３は、位置を移動することによって発光部２の照射する光がホログラム４に入射する領域を変更する。第２実施形態のミラー部３は、側面が平面に形成され、図示しない平面上を移動することで、発光部２の照射する光を斜面で反射させ、ホログラム４の異なる領域に入射する構造である。なお、本実施形態では、領域選択部として発光部２の照射する光を反射させるミラー部３を用いたが、プリズム等で屈折させる構造でもよい。
【００５４】
ホログラム４は、少なくとも、第１ホログラム領域４１と、第２ホログラム領域４２と、を有する。第１ホログラム領域４１と第２ホログラム領域４２は、異なる情報が記録されており、発光部２からレーザー光が入射した場合に、異なる情報を含む光を出射させる。例えば、第１ホログラム領域４１と第２ホログラム領域４２の出射光は、それぞれ異なる照明範囲、表示画像、又は文字等を投影する。第３実施形態のホログラム４は、図６に示すように、赤色Ｒ、緑色Ｇ、青色Ｂの３つの光源２Ｒ，２Ｇ，２Ｂに対応する第１ホログラム領域４１Ｒ，４１Ｇ，４１Ｂと第２ホログラム領域４２Ｒ，４２Ｇ，４２Ｂが縦方向に並んでいる。ホログラム４０の形状は、正方形に限らず、多角形又は円形でもよい。
【００５５】
入力部５は、操作者が操作するスイッチ又は各種センサ等であって、検出信号を制御部６に入力する。例えば、本実施形態の光学装置を自動車等の移動体に適用した場合、入力部５は、ヘッドライト切替スイッチ又は障害物を検出する障害物センサ等からなる。
【００５６】
記憶部６は、入力部５の入力内容に対応するホログラム４の領域を記憶している。例えば、本実施形態の光学装置を自動車等の移動体に適用した場合、記憶部６は、ヘッドライト切替スイッチからハイビームにする指示が入力された場合、ホログラム４の第１ホログラム領域４１にすること等を記憶している。なお、記憶部６は、制御部７に含まれていてもよい。
【００５７】
制御部７は、入力部５及び記憶部６からの指示にしたがって、駆動部８を駆動する。駆動部８は、ホログラム４のホログラム枠部４ａを支持部３の支持レール３１に沿って移動させるアクチュエータ等からなる。例えば、駆動部８は、モータとボールねじ又は電磁ソレノイド等からなる。
【００５８】
次に、第３実施形態の光学装置１の作動について説明する。
【００５９】
照射光１０が第１光領域１１に照射されている第１状態から照射光１０が第２光領域１２に照射されている第２状態に移動するには、まず入力部５から切替の信号が制御部７に入力される。制御部７は、入力部５の入力内容に対応するホログラム４の領域を記憶部６から取得する。その後、制御部７は、記憶部６から取得したホログラム４の領域が発光部２から照射されるように駆動部８を駆動し、ミラー部３を移動する。
【００６０】
例えば、制御前の状態として入力部５の表示切替スイッチが第１光領域１１にカラー画像を投影するように指示している状態から、第２光領域１２にカラー画像を投影する指示が制御部７に入力されると、制御部７は、第２光領域１２にカラー画像を投影することに対応する領域が第２ホログラム領域４２であるという記憶部６に記憶された信号を取得する。そして、制御部７は、ホログラム４の第２ホログラム領域４２が発光部２から照射さ
れるように駆動部８を駆動し、ミラー部３を移動する。第３実施形態では、ＲＧＢそれぞれの光源２Ｒ，２Ｇ，２Ｂから照射される光がそれぞれ第１ホログラム領域４１Ｒ，４１Ｇ，４１Ｂに入射する状態から第２ホログラム領域４２Ｒ，４２Ｇ，４２Ｂに入射する状態になるように、ミラー部３を移動させる。
【００６１】
なお、ホログラム４は、第１ホログラム領域４１と第２ホログラム領域４２が重なっていてもよい。第１ホログラム領域４１と第２ホログラム領域４２が重なっている部分に発光部２から照射された場合、入射した光は第１ホログラム領域４１と第２ホログラム領域４２からそれぞれ出射する。
【００６２】
また、発光部２から照射される光が第１ホログラム領域４１と第２ホログラム領域４２に跨がってもよい。発光部２から照射される光が第１ホログラム領域４１と第２ホログラム領域４２に跨がっている場合、入射した光は第１ホログラム領域４１と第２ホログラム領域４２からそれぞれ出射する。
【００６３】
このように、第３実施形態の光学装置１によれば、簡単な構造で容易且つ安価に製造することができる投影可能なカラーの光学装置１を提供することが可能となる。
【００６４】
図７は、第４実施形態の光学装置の斜視図である。
【００６５】
第４実施形態は、ＲＧＢそれぞれの光源２Ｒ，２Ｇ，２Ｂから照射される光がそれぞれ第１ホログラム領域４１Ｒ，４１Ｇ，４１Ｂ及び第２ホログラム領域４２Ｒ，４２Ｇ，４２Ｂに入射した後、第１Ｒ光領域１１Ｒ，第１Ｇ光領域１１Ｇ，第１Ｂ光領域１１Ｂ及び第２Ｒ光領域１２Ｒ，第２Ｇ光領域１２Ｇ，第２Ｂ光領域１２Ｂにそれぞれ別々に投影される。
【００６６】
第１ホログラム領域４１Ｒ，４１Ｇ，４１Ｂ及び第２ホログラム領域４２Ｒ，４２Ｇ，４２Ｂにはそれぞれ異なる情報が記録されており、第１Ｒ光領域１１Ｒ，第１Ｇ光領域１１Ｇ，第１Ｂ光領域１１Ｂ及び第２Ｒ光領域１２Ｒ，第２Ｇ光領域１２Ｇ，第２Ｂ光領域１２Ｂにはそれぞれ異なる画像、文字、及び照明光等が投影される。
【００６７】
このように、第４実施形態の光学装置１によれば、より多くの情報を一度に投影することが可能となる。
【００６８】
図８は、第５実施形態の光学装置の斜視図である。
【００６９】
ホログラム４の領域数は、さらに増やしてもよい。その場合、ミラー部３の対応する位置を増やせばよい。
【００７０】
例えば、図８に示すように、第５実施形態は、赤色Ｒ、緑色Ｇ、青色Ｂそれぞれの光源２Ｒ，２Ｇ，２Ｂから照射される光がそれぞれ第１ホログラム領域４１Ｒ，４１Ｇ，４１Ｂ、第２ホログラム領域４２Ｒ，４２Ｇ，４２Ｂ、及び第３ホログラム領域４３Ｒ，４３Ｇ，４３Ｂに入射した後、第１光領域１１、第２光領域１２、及び第３光領域１３にそれぞれ投影される。
【００７１】
第１ホログラム領域４１、第２ホログラム領域４２、及び３ホログラム領域４３にはそれぞれカラーの異なる情報が記録されており、第１光領域１１、第２光領域１２、及び第３光領域１３にはそれぞれカラーの異なる照明光、画像、及び文字が投影される。
【００７２】
以上、本実施形態によれば、コヒーレントな光を照射する発光部２と、少なくとも、予
め定めた所定の情報が記録された第１ホログラム領域４１及び第１ホログラム領域４１とは異なる情報が記録された第２ホログラム領域４２を有するホログラム４と、発光部２から照射された光が第１ホログラム領域４１及び第２ホログラム領域４２のうち少なくとも１つを含むように移動するミラー部３と、を備えるので、簡単な構造で容易且つ安価に製造することができる投影可能な光学装置１を提供することが可能となる。
【００７３】
また、本実施形態の光学装置１によれば、ミラー部３は、１次元的に移動するので、投影内容を迅速に切り替えることが可能となる。
【００７４】
また、本実施形態の光学装置１によれば、発光部２は、赤色Ｒ、緑色Ｇ、青色Ｂに対応した光源２Ｒ，２Ｇ，２Ｂを有し、ホログラム４は、赤色Ｒ、緑色Ｇ、青色Ｂに対応した光源２Ｒ，２Ｇ，２Ｂに対して、それぞれ情報が記録されたＲＧＢに対応する領域４１Ｒ，４１Ｇ，４１Ｂを有するので、カラーで投影することが可能となる。
【００７５】
また、本実施形態の光学装置１によれば、発光部２は、複数のレーザー光源を有するレーザーアレイからなり、レーザーアレイの照射領域は、第１ホログラム領域４１及び第２ホログラム領域４２よりも小さいので、ホログラム領域ごとに投影させることが可能となる。なお、レーザーアレイの照射領域は、上記のホログラム領域上でレーザーアレイにより照射される領域の面積である。
【００７６】
また、本実施形態の光学装置１によれば、ミラー部３の移動を指示する入力部２と、ミラー部３を移動させる駆動部８と、入力部２からの指示に応じて駆動部６を制御する制御部７と、を備えるので、入力に応じて投影内容を迅速的確に切り替えることが可能となる。
【００７７】
また、本実施形態の光学装置１によれば、入力部２の指示に応じたミラー部３の移動位置を記憶する記憶部６を備えるので、入力に応じて投影内容をさらに迅速的確に切り替えることが可能となる。
【００７８】
また、本実施形態の光学装置１によれば、ホログラム４を通過した光は、照明光を投影するので、予め定めた所定の位置を的確に照明することが可能となる。
【００７９】
また、本発明にかかる光学装置は、ホログラム４を通過した光は、画像及び文字のうち少なくとも１つを投影するので、予め定めた所定の情報を的確に投影することが可能となる。
【００８０】
以上、光学装置１をいくつかの実施例に基づいて説明してきたが、本発明はこれら実施例に限定されず種々の組み合わせ又は変形が可能である。また、上記の実施形態のを説明する上で自動車等の移動体に適用した例を用いて説明してきたが、これに限定されない。
【符号の説明】
【００８１】
１…光学装置
２…発光部
３…ミラー部（領域選択部）
４…ホログラム
５…入力部
６…記憶部
７…制御部
８…駆動部
【図１】
2016090901.tif 000003
【図２】
2016090901.tif 000004
【図３】
2016090901.tif 000005
【図４】
2016090901.tif 000006
【図５】
2016090901.tif 000007
【図６】
2016090901.tif 000008
【図７】
2016090901.tif 000009
【図８】
2016090901.tif 000010